(57)【特許請求の範囲】
【請求項１】
上下に対向配置される上翼板(２１)及び下翼板(２２)を有し、前記上翼板（２１）及び下翼板（２２）の間にエレメント案内路（２４）が設けられたスライダー胴体(２０)と、
取付軸部（７３）を有する引手（７０）と、
一端部が前記スライダー胴体(２０)の上翼板（２１）に片持状に固定され、前記引手（７０）の取付軸部（７３）を保持する引手保持体（４０）と、
を備えるスライドファスナー用スライダー（１０）であって、
前記引手保持体（４０）は、前記一端部の左右側面から幅方向に延設されると共に長手方向に延びるフランジ（４１）を有し、
前記スライダー胴体(２０)は、前記上翼板(２１)の前端部に形成され、前記フランジ（４１）を収容する摺動溝部（２９）を有し、
前記引手保持体（４０）と前記スライダー胴体(２０)の一方は、前記引手保持体（４０）と前記スライダー胴体(２０)の他方に向かって突出する凸部（４２）を有し、
前記引手保持体（４０）と前記スライダー胴体(２０)の他方は、前記凸部（４２）と係合する凹部(３０)を有し、
前記フランジ（４１）を前記摺動溝部（２９）に挿入し、前記摺動溝部（２９）の上方に位置する前記上翼板(２１)の上面部（２１ｂ）を前記フランジ（４１）に向けて加締めることで、前記凸部（４２）を前記凹部(３０)に係合させ、前記引手保持体（４０）を前記スライダー胴体(２０)に固定することを特徴とするスライドファスナー用スライダー（１０）。
【請求項２】
前記フランジ（４１）の上面（４１ａ）は、前記フランジ（４１）の後端部分（４１ｃ）から前端部分（４１ｄ）に向かうに従って前記フランジ（４１）の肉厚（ｔ）が漸減するように傾斜する傾斜面であることを特徴とする請求項１に記載のスライドファスナー用スライダー（１０）。
【請求項３】
前記フランジ（４１）の上面（４１ａ）は、前記フランジ（４１）の根元部分（４１ｆ）側から側面（４１ｂ）側に向かうに従って前記フランジ（４１）の肉厚（ｔ）が漸減するように形成され、
前記スライダー胴体（２０）の摺動溝部（２９）の上面（２９ａ）は、前記フランジ（４１）の上面（４１ａ）と対応して、前記摺動溝部（２９）の上方に位置する前記上翼板（２１）の上面部（２１ｂ）がその根元部分（２１ｃ）側から側面（２１ｄ）側に向かうに従って前記上面部（２１ｂ）の肉厚（ｔａ）が漸減するように形成されていることを特徴とする請求項１または２に記載のスライドファスナー用スライダー（１０）。
【請求項４】
前記フランジ（４１）の側面（４１ｂ）は、前記フランジ（４１）の後端部分（４１ｃ）から前端部分（４１ｄ）に向かうに従って前記フランジ（４１）の幅（Ｗ）が次第に広くなるように傾斜することを特徴とする請求項１から３のいずれか１項に記載のスライドファスナー用スライダー（１０）。
【請求項５】
前記凸部（４２）は、前記引手保持体（４０）の前記一端部の下面に前記スライダー胴体(２０)に向かって突出形成され、
前記凹部(３０)は、前記上翼板(２１)の前記前端部の上面に形成されることを特徴とする請求項１から４のいずれか１項に記載のスライドファスナー用スライダー（１０）。
【請求項６】
前記凸部（４２）は、前記上翼板(２１)の前記前端部の上面に前記引手保持体（４０）に向かって突出して形成され、
前記凹部(３０)は、前記引手保持体（４０）の前記一端部の下面に形成されることを特徴とする請求項１から４のいずれか１項に記載のスライドファスナー用スライダー（１０）。
【請求項７】
前記凸部（４２）は、前記引手保持体（４０）の前記フランジ（４１）の下面（４１ｃ）に形成され、
前記凹部(３０)は、前記摺動溝部（２９）の下面に形成されることを特徴とする請求項１から４のいずれかに１項に記載のスライドファスナー用スライダー（１０）。
【請求項８】
前記上翼板(２１)から立設する爪体支持部（２７）によって上下揺動自在に配設され、前記上翼板(２１)に形成された爪孔（３１）から前記エレメント案内路（２４）に出没自在な爪部（６４）を有する停止爪体（６０）と、
前記爪体支持部（２７）に形成された支持溝（２７ｃ）によって保持される両端を有し、前記停止爪体（６０）を揺動自在に支持する枢支ピン（１３）と、
をさらに備え、
前記凸部（４２）は、前記引手保持体（４０）の内壁（４３ｅ）の下面から下方に突設し、前記枢支ピン（１３）に当接する段差部（４６）であり、
前記凹部(３０)は、前記枢支ピン（１３）の両端を保持するとともに、前記段差部（４６）と係合する支持溝（２７ｃ）であることを特徴とする請求項１から４のいずれか１項に記載のスライドファスナー用スライダー（１０）。
【発明の詳細な説明】
【技術分野】
【０００１】
本発明は、スライドファスナー用スライダーに関し、特に、引手保持体とスライダー胴体との組付け性を大幅に向上させ、生産効率の高いスライドファスナー用スライダーに関する。
【背景技術】
【０００２】
従来、引手保持体をスライダー胴体に取り付ける構造として、丸線ピンを用いて加締めるものが採用されているが、引手保持体とスライダー胴体に軸孔を設ける必要がある。そこで、引手保持体をスライダー胴体に取り付ける際に丸線ピンを用いず、生産性を向上させたスライドファスナー用スライダーが考案されている。【０００３】
例えば、特許文献１に記載のスライドファスナー用スライダーでは、引手保持体に設けたフランジをスライダー胴体の摺動溝に嵌合させた後、スライダー胴体に設けた加締め用肉盛り部を、上面側からパンチ等で圧潰することにより引手保持体のフランジをスライダー胴体の上翼板に加締め固定して、スライダー胴体に対する引手保持体の取付け作業を簡潔にしている。また、特許文献２に記載のスライドファスナー用スライダーでは、引手保持体の側壁部の一部をスライダー胴体の凹部に向けて押圧すると共に、上翼板に形成した隆起部を引手保持体のフランジに設けた固定用凹部に向けて押圧し、引手保持体を２ヶ所でスライダー胴体に加締め固定するようにして、引手保持体とスライダー胴体との取付け強度の向上を図っている。
【先行技術文献】
【特許文献】
【０００４】
【特許文献１】日本国特許第４７９９４５２号公報
【特許文献２】日本国特開２００９−１０６６１１号公報
【発明の概要】
【発明が解決しようとする課題】
【０００５】
しかしながら、特許文献１に記載のスライドファスナー用スライダーでは、スライダー胴体に加締め用肉盛り部を設ける必要があり、また、引手保持体とスライダー胴体との取付け強度を更に向上することが要望されている。また、特許文献２に記載のスライドファスナー用スライダーでは、引手保持体とスライダー胴体とが２ヶ所で加締められるので取付け強度は向上するものの、引手保持体の側面に加締めた跡が残ってしまい、また、フランジに薄肉の固定用凹部が形成されるので、加工が複雑であるという課題があった。【０００６】
本発明は、前述した事情に鑑みてなされたものであり、その目的は、スライダー胴体に引手保持体を取付ける際の作業性を向上させると共に、取付け強度が強く、且つ外観性のよいスライドファスナー用スライダーを提供することにある。
【課題を解決するための手段】
【０００７】
本発明の上記目的は、下記の構成により達成される。
（１）上下に対向配置される上翼板及び下翼板を有し、上翼板及び下翼板の間にエレメント案内路が設けられたスライダー胴体と、
取付軸部を有する引手と、
一端部がスライダー胴体の上翼板に片持状に固定され、引手の取付軸部を保持する引手保持体と、
を備えるスライドファスナー用スライダーであって、
引手保持体は、一端部の左右側面から幅方向に延設されると共に長手方向に延びるフランジを有し、
スライダー胴体は、上翼板の前端部に形成され、フランジを収容する摺動溝部を有し、
引手保持体とスライダー胴体の一方は、引手保持体とスライダー胴体の他方に向かって突出する凸部を有し、
引手保持体とスライダー胴体の他方は、凸部と係合する凹部を有し、
フランジを摺動溝部に挿入し、摺動溝部の上方に位置する上翼板の上面部をフランジに向けて加締めることで、凸部を凹部に係合させ、引手保持体をスライダー胴体に固定することを特徴とするスライドファスナー用スライダー。
（２）  フランジの上面は、フランジの後端部分から前端部分に向かうに従ってフランジの肉厚が漸減するように傾斜する傾斜面であることを特徴とする（１）に記載のスライドファスナー用スライダー。
（３）  フランジの上面は、フランジの根元部分側から側面側に向かうに従ってフランジの肉厚が漸減するように形成され、
スライダー胴体の摺動溝部の上面は、フランジの上面と対応して、摺動溝部の上方に位置する上翼板の上面部がその根元部分側から側面側に向かうに従って上面部の肉厚が漸減するように形成されていることを特徴とする（１）または（２）に記載のスライドファスナー用スライダー。
（４）  フランジの側面は、フランジの後端部分から前端部分に向かうに従って前記フランジの幅が次第に広くなるように傾斜することを特徴とする（１）から（３）のいずれかに記載のスライドファスナー用スライダー。
（５）  凸部は、引手保持体の一端部の下面にスライダー胴体に向かって突出形成され、
凹部は、上翼板の前端部の上面に形成されることを特徴とする（１）から（４）のいずれか１つに記載のスライドファスナー用スライダー。
（６）  凸部は、上翼板の前端部の上面に引手保持体に向かって突出して形成され、
凹部は、引手保持体の一端部の下面に形成されることを特徴とする（１）から（４）のいずれか１つに記載のスライドファスナー用スライダー。
（７）  凸部は、引手保持体のフランジの下面に形成され、
凹部は、摺動溝部の下面に形成されることを特徴とする（１）から（４）のいずれか１つに記載のスライドファスナー用スライダー。
（８）上翼板から立設する爪体支持部によって上下揺動自在に配設され、上翼板に形成された爪孔からエレメント案内路に出没自在な爪部を有する停止爪体と、
爪体支持部に形成された支持溝によって保持される両端を有し、停止爪体を揺動自在に支持する枢支ピンと、
をさらに備え、
凸部は、引手保持体の内壁の下面から下方に突設し、枢支ピンに当接する段差部であり、
凹部は、枢支ピンの両端を保持するとともに、段差部と係合する支持溝であることを特徴とする（１）から（４）のいずれか１つに記載のスライドファスナー用スライダー。
【発明の効果】
【０００８】
本発明のスライドファスナー用スライダーによれば、引手保持体は、一端部の左右側面から幅方向に延設されると共に長手方向に延びるフランジを有し、スライダー胴体は、上翼板の前端部に形成され、フランジを収容する摺動溝部を有し、引手保持体とスライダー胴体の一方は、引手保持体とスライダー胴体の他方に向かって突出する凸部を有し、引手保持体とスライダー胴体の他方は、凸部と係合する凹部を有し、フランジを摺動溝部に挿入し、摺動溝部の上方に位置する上翼板の上面部をフランジに向けて加締めることで、凸部を凹部に係合させ、引手保持体をスライダー胴体に固定する。これにより、引手保持体とスライダー胴体との取り付けが容易になり、生産性が向上する。また、フランジを摺動溝部に挿入して上翼板の上面部をフランジに向けて加締めるので、加締めにより引手保持体とスライダー胴体との上下方向が固定され、凸部と凹部との係合により引手保持体とスライダー胴体との前後方向が固定される。また、フランジ全体が加締められるので、取り付け強度を高めることができ、また、引手保持体に加締め跡が残らず、外観性が向上する。
【図面の簡単な説明】
【０００９】
【図１】本発明に係る第１実施形態のスライドファスナー用スライダーの分解斜視図である。
【図２】図１に示すスライドファスナー用スライダーの正面図である。
【図３】（ａ）は、図１に示す引手保持体の正面図であり、（ｂ）は、引手保持体の前面図であり、（ｃ）は、（ａ）のＤ−Ｄ線に沿った断面図であり、（ｄ）は、引手保持体の側面図であり、（ｅ）は、（ａ）のＥ−Ｅ線に沿った断面図である。
【図４】（ａ）は、組付け開始時のスライダー胴体と引手保持体との状態を示す、図２のＡ−Ａ線に沿った要部断面図であり、（ｂ）は、図２のＢ−Ｂ線に沿った要部断面図である。
【図５】（ａ）は、組付け途中のスライダー胴体と引手保持体との状態を示す図２のＡ−Ａ線に沿った要部断面図であり、（ｂ）は、図２のＢ−Ｂ線に沿った要部断面図である。
【図６】（ａ）は、引手保持体がスライダー胴体に組み付けられた加締め前の状態を示す前面図であり、（ｂ）は、図２のＡ−Ａ線に沿った要部断面図、（ｃ）は、図２のＢ−Ｂ線に沿った要部断面図である。
【図７】（ａ）は、加締め後のスライダー胴体と引手保持体との状態を示す要部前面図であり、（ｂ）は、図２のＣ−Ｃ線に沿った要部断面図であり、（ｃ）は、図２のＢ−Ｂ線に沿った要部断面図である。
【図８】（ａ）から（ｃ）は、第１変形例のスライドファスナー用スライダーを、組付け順に従って示す要部断面図である。
【図９】（ａ）から（ｃ）は、第２変形例のスライドファスナー用スライダーを、組付け順に従って示す要部断面図である。
【図１０】第３変形例のスライドファスナー用スライダーの要部断面図である。
【図１１】第４変形例のスライドファスナー用スライダーの図７（ｃ）に相当する要部断面図である。
【図１２】第５変形例のスライドファスナー用スライダーの図６（ｂ）に相当する要部断面図である。
【図１３】（ａ）〜（ｆ）は、第６変形例のスライドファスナー用スライダーの第１〜第６例を示す、図２のＣ−Ｃ線に沿った要部断面図である。
【図１４】第７変形例のスライドファスナー用スライダーの要部断面図である。
【図１５】第８変形例のスライドファスナー用スライダーの要部断面図である。
【発明を実施するための形態】
【００１０】
以下、本発明に係るスライドファスナー用スライダーの一実施形態について、図面に基づいて詳細に説明する。なお、以後の説明において、スライダーの幅が広い側であってファスナーエレメントが分離して出てくる側を肩口側とし、スライダーの幅が狭い側であってファスナーエレメントが噛合して出てくる側を後口側とする。また、肩口側を前、後口側を後ろとし、スライダーの摺動方向を前後方向、前後方向と直交且つ不図示のファスナーテープと平行な方向を左右方向（幅方向）、前後方向及び左右方向に直交する方向を上下方向とする。
【００１１】
本実施形態に係るスライドファスナー用スライダー１０は、図１及び図２に示すように、スライダー胴体２０と、引手保持体４０と、開閉部材５０と、停止爪体６０と、引手７０と、により主に構成されている。引手保持体４０及び停止爪体６０は、ステンレスや銅合金や亜鉛合金などの金属材料を、また、スライダー胴体２０及び開閉部材５０は、アルミニウム合金や亜鉛合金などの金属材料を、プレス成形やダイキャスト成形することにより製造される。なお、本実施形態では、引手保持体４０、スライダー胴体２０、及び開閉部材５０は亜鉛ダイカストによって、停止爪体６０は銅合金によってそれぞれ構成されている。また、これらの部品は、上記の金属材料に代えて、ポリアミド、ポリプロピレン、ポリアセタール、ポリプチレンテレフタレートなどの熱可塑性樹脂材料などを射出成形することでも製造可能である。
【００１２】
スライダー胴体２０は、図１及び図２に示すように、上翼板２１と、下翼板２２と、上翼板２１と下翼板２２の前端部を連結する案内柱２３とを有し、一体に形成されている。上翼板２１と下翼板２２の左右側部には、その後端から略中央位置にかけて上下フランジ２１ａ，２２ａが設けられている。スライダー胴体２０は、上翼板２１と下翼板２２の間にＹ字形のエレメント案内路２４が形成されており、エレメント案内路２４の後端には後口２５が、また前端には２つの肩口２６が設けられている。
【００１３】
スライダー胴体２０には、上翼板２１の上面前部に、停止爪体６０を収容可能な間隔をもって離間して立設する左右壁部２７ａ、２７ｂからなる爪体支持部２７が形成されている。左右壁部２７ａ，２７ｂの内壁面には、停止爪体６０を上下揺動可能に枢支する枢支ピン１３を保持するＵ字形溝２７ｃが、上方に開口して形成されている。また、上翼板２１の上面には、左右壁部２７ａ，２７ｂ間に、後述する板ばね１２を収容するばね室３５が設けられている。更に、ばね室３５の後端側には、停止爪体６０を位置決めするための位置決め用凸部３６が形成されている（図５（ａ）参照）。
【００１４】
スライダー胴体２０は、上翼板２１の爪体支持部２７よりも前端側に凹設された嵌着部２８と、この嵌着部２８の左右両脇に、スライダー胴体２０の長さ方向に沿って上翼板２１の前端から爪体支持部２７の左右壁部２７ａ，２７ｂの後方側に亘って直線状に凹設された摺動溝部２９と、を備える。摺動溝部２９には、引手保持体４０の後述するフランジ４１が収容される。
【００１５】
また、嵌着部２８の幅方向中間部には、爪体支持部２７よりも前端側に、後述する引手保持体４０の凸部４２と係合可能な凹部３０が形成されている。凹部３０は、爪体支持部２７の左右壁部２７ａ、２７ｂ間に形成されたばね室３５に連続して形成されている。
【００１６】
スライダー胴体２０には、爪体支持部２７の後方に、上翼板２１の上面からエレメント案内路２４に貫通する爪孔３１が形成されている。上翼板２１の上面には、開閉部材５０が摺動自在に嵌合する開閉部材ガイド溝３２が、上翼板２１の後端から爪孔３１の左右側方に亘って形成されている。
【００１７】
また、開閉部材ガイド溝３２の底面の一部には、コイルばね１１を装着するためのばね装着溝３３が形成されている。更に、上翼板２１の後端部には、開閉部材ガイド溝３２の底面から突設する突片部３４が左右両側に設けられている。突片部３４は、開閉部材５０を開閉部材ガイド溝３２に嵌合させた後、突片部３４をスライダー胴体２０の幅方向中央部に向けて押し曲げることにより、開閉部材５０が開閉部材ガイド溝３２から抜け落ちるのを防止するストッパーとして機能する。
【００１８】
引手保持体４０は、図３に示すように、一面に開口を有する側面視略Ｌ字形の有底箱状に形成されており、引手保持体４０の一端部である固定側基端部４３が、上翼板２１の上面前方部に固定されて、スライダー胴体２０に片持状に取り付けられる。これにより、引手保持体４０の他端部である後端部４４とスライダー胴体２０との間には間隙１４が形成される（図６（ｂ）参照）。
【００１９】
引手保持体４０の固定側基端部４３の左右両側面の下縁部には、スライダー胴体２０の摺動溝部２９に収容される左右一対のフランジ４１が形成されている。図３（ｄ）に示すように、フランジ４１の上面４１ａは、フランジ４１の後端部分４１ｃから前端部分４１ｄに向かうに従ってフランジ４１の肉厚ｔが漸減する傾斜面となっている。また、図３（ｂ）に示すように、フランジ４１の上面４１ａは、フランジ４１の根元部分４１ｆから側面４１ｂに向かうに従ってフランジ４１の肉厚ｔが漸減するように傾斜する傾斜面ともなっている。さらに、図３（ａ）に示すように、フランジ４１の両側面４１ｂは、フランジ４１の後端部分４１ｃから前端部分４１ｄに向かうに従って次第に幅Ｗが広くなるように傾斜して形成されている。
【００２０】
なお、本実施形態では、フランジ４１を収容する、加締め前の摺動溝部２９の溝高さＬは、図４（ｂ）に示すように、前後方向に亘って一様に形成されている。また、図６（ａ）に示すように、スライダー胴体２０の摺動溝部２９の上面２９ａは、フランジ４１の上面４１ａと対応して、摺動溝部２９の上方に位置する上翼板２１の上面部２１ｂがその根元部分２１ｃから側面２１ｄに向かうに従って上面部２１ｂの肉厚ｔａが漸減するように傾斜している。
【００２１】
また、引手保持体４０には、固定側基端部４３の前端部側の下面４３ａから下方に突出する断面略３角形の凸部４２が設けられている。凸部４２の前端壁４２ａは、下面４３ａに対して略直角に形成され、後端壁４２ｂは、下面３４ａに対して傾斜して形成されている。また、固定側基端部４３は、後端部４４側まで連続する上面部４５と、上面部４５から連続して前方へ延びる前方壁部４３ｂと、左右側壁部４３ｃ、４３ｄと、によってスライダー胴体２０の爪体支持部２７を覆うように形成されており、また、上面部４５、前方壁部４３ｂ、及び左右側壁部４３ｃ、４３ｄによって囲まれた部分では、内壁を下方に膨出させた膨出部４３ｅが設けられている。そして、膨出部４３ｅの下面には、図３（ｃ）に示すように、左右方向中央から下方に突出する段差部４６が設けられている。
【００２２】
さらに、引手保持体４０の後端部４４側の左右側面部には、退避部４７と収容部４８とが、スライダー胴体２０に対向して下向きの凹状に形成されており、退避部４７と収容部４８との間は、凸状の連続縁部４９によって連続している。
【００２３】
図１に戻り、開閉部材５０は、平面形状が略Ｕ字状に形成され、これにより、スライダー胴体２０の上翼板２１（開閉部材ガイド溝３２）に取り付けられて前端側に向けて摺動するとき、爪孔３１との干渉が防止されている。開閉部材５０は、その左右側縁部の下部に、上翼板２１の開閉部材ガイド溝３２に摺動自在に嵌合するガイド部５１が設けられている。また、開閉部材５０の二股状のアーム部には、基端側閉鎖部５２と先端側閉鎖部５３とが、上方に向けて凸状に形成されている。
【００２４】
停止爪体６０は、爪体基端部６１と、爪体基端部６１から二股に分岐して略平行に延設する上側アーム部６２及び下側アーム部６３とを有しており、下側アーム部６３の先端には、スライダー胴体２０の爪孔３１を介してエレメント案内路２４に突出する爪部６４が形成されている。また、上下のアーム部６２，６３間には、スライダー胴体２０の後口２５側に向けて開口する作動凹溝６５が設けられている。爪体基端部６１の上部には、爪体支持部２７のＵ字形溝２７ｃに両端が保持された枢支ピン１３に枢着する枢支凹部６６が形成され、爪体基端部６１の下部には、下部凹部６７がそれぞれ設けられている。
【００２５】
引手７０は、一端側に引手保持体４０が挿入される環状部７１を有し、また、環状部７１から他端側にかけて把手部７２を有する。環状部７１の先端部には、円形断面を持つ取付軸部７３が配されている。この取付軸部７３の長さは、引手保持体４０の幅寸法よりも大きく設定されている。
【００２６】
次に、本実施形態のスライドファスナー用スライダー１０の組付けについて図４から図７を参照して説明する。
【００２７】
先ず、スライダー胴体２０に開閉部材５０とコイルばね１１とを組み付ける。具体的には、スライダー胴体２０の上翼板２１に形成したばね装着溝３３にコイルばね１１を装着した後、開閉部材５０のガイド部５１を上翼板２１の開閉部材ガイド溝３２に嵌合させて挿し込む。更に、開閉部材５０を押し込んでコイルばね１１を縮ませた状態で、開閉部材ガイド溝３２の両側に設けられた突片部３４を、スライダー胴体２０の幅方向中央部に向けて押し曲げる。これにより、開閉部材５０及びコイルばね１１は、スライダー胴体２０の上翼板２１からの脱落が防止される。開閉部材５０は、コイルばね１１の弾性力によって常に後方に付勢された状態で開閉部材ガイド溝３２に沿って摺動可能にスライダー胴体２０に取り付けられる。
【００２８】
次に、開閉部材５０及びコイルばね１１が組み付けられたスライダー胴体２０に、板ばね１２、停止爪体６０、枢支ピン１３、及び引手保持体４０をこの順で組み付ける。具体的に、図４（ａ）に示すように、爪体支持部２７の左右壁部２７ａ，２７ｂ間に設けられたばね室３５に、ばね鋼板により矩形状に形成された板ばね１２を挿入した後、停止爪体６０の下部凹部６７と位置決め用凸部３６とを係合させながら停止爪体６０を上方から左右壁部２７ａ，２７ｂ間に挿入する。更に、枢支ピン１３を爪体支持部２７のＵ字形溝２７ｃに嵌合させて停止爪体６０の枢支凹部６６に載せる。
【００２９】
なお、後述する引手保持体４０を組み付ける際、引手保持体４０が接触してもこれらの部品が外れないように、板ばね１２及び枢支ピン１３を爪体支持部２７に加締め固定しておくことが望ましい。
【００３０】
続いて、図４（ｂ）に示すように、引手保持体４０のフランジ４１を、スライダー胴体２０の前端から摺動溝部２９に挿入し、更に図５（ｂ）に示すように、引手保持体４０を摺動溝部２９に沿ってスライダー胴体２０の後方に向けて摺動させる。
【００３１】
このとき、フランジ４１の上面４１ａは、フランジ４１の後端部分４１ｃから前端部分４１ｄに向かうに従ってフランジ４１の肉厚ｔが漸減するように傾斜している一方、摺動溝部２９の溝高さＬは、前後方向に亘って一様に形成されている。このため、フランジ４１と摺動溝部２９との間の上下方向隙間は、フランジ４１の後端部分４１ｃより前端部分４１ｄの方が大きくなっている。これにより、引手保持体４０は、前端部分４１ｄを上方に持ち上げた状態に傾けることができ（図５（ｂ）参照）、引手保持体４０をスライダー胴体２０の後方に向けて摺動する際、凸部４２とスライダー胴体２０の壁３７との干渉が防止される。
【００３２】
また、凸部４２の後端壁４２ｂは固定側基端部４３の下面４３ａに対して傾斜しているので、図５（ｂ）に示すように、引手保持体４０は、凸部４２がスライダー胴体２０の壁３７に案内されながら、反時計方向に徐々に傾き、スライダー胴体２０の後方に向けて摺動される。そして、凸部４２がスライダー胴体２０の壁３７を乗り越えて、凹部３０に係合する（図６（ａ）参照）。
【００３３】
次いで、図７に示すように、スライダー胴体２０の摺動溝部２９の上方に位置する上翼板２１の上面部２１ｂを、フランジ４１に向けてパンチ等で圧潰することにより、引手保持体４０のフランジ４１を上翼板２１に加締め固定する。これにより、引手保持体４０は、凸部４２と凹部３０とが係合すると共に、フランジ４１が上翼板２１で加締められるので、係合及び加締めの両者が相俟って、引手保持体４０がスライダー胴体２０に強固に固定される。
【００３４】
また、フランジ４１の両側面４１ｂは前後方向に傾斜し（図３（ａ）参照）、スライダー胴体２０の前端部側に向かうに従って次第にフランジ４１の幅Ｗが広くなっているので、加締め部の接触面積が広くなり、加締め強度が向上する。さらに、凸部４２の前端壁４２ａが下面４３ａに対して略垂直に形成されているので、引手保持体４０に作用する前方方向の力に対して凹部３０との係合が確実に維持される。
【００３５】
また、図６（ｂ）及び図７（ｂ）に示すように、引手保持体４０の段差部４６が枢支ピン１３に当接し、爪体支持部２７のＵ字形溝２７ｃに嵌合する枢支ピン１３を上方から押えることで枢支ピン１３の取り付け強度が向上する。これにより、停止爪体６０は、枢支ピン１３を中心として揺動自在に支持される。また、停止爪体６０は、枢支ピン１３より前端側が板ばね１２の弾性力により上方に付勢されているので、図６（ｂ）において、反時計方向に回動して停止爪体６０の爪部６４が爪孔３１からエレメント案内路２４に突出し、不図示のファスナーエレメントに係合する。
【００３６】
なお、図７に示すように、開閉部材５０はコイルばね１１により後方に向けて付勢されているため、引手保持体４０の後端部４４とスライダー胴体２０の上翼板２１との間に形成されている間隙１４は、開閉部材５０の基端側閉鎖部５２によって閉鎖され、また、引手保持体４０の連続縁部４９と上翼板２１との間に形成されている間隙も開閉部材５０の先端側閉鎖部５３によって閉鎖されている。
【００３７】
このように組み付けられたスライドファスナー用スライダー１０に引手７０を取り付けるには、引手７０の取付軸部７３をスライドファスナー用スライダー１０の後端側から間隙１４に向けて押し込む。これにより、開閉部材５０をコイルばね１１の付勢力に抗して上翼板２１の開閉部材ガイド溝３２に沿って前方に摺動移動させ、開口した間隙１４を介して引手７０の取付軸部７３を挿入することで組み付けられる。
【００３８】
以上説明したように、本実施形態のスライドファスナー用スライダー１０によれば、引手保持体４０は、固定側基端部４３の左右側面から幅方向に延設されると共に長手方向に延びるフランジ４１と、スライダー胴体２０に向かって突出する凸部４２とを有し、スライダー胴体２０は、上翼板２１の前端部に形成され、フランジ４１を収容する摺動溝部２９と、凸部４２と係合する凹部３０とを有し、フランジ４１を摺動溝部２９に挿入し、摺動溝部２９の上方に位置する上翼板２１の上面部２１ｂをフランジ４１に向けて加締めることで、凸部４２を凹部３０に係合させて、引手保持体４０をスライダー胴体２０に固定するので、引手保持体４０とスライダー胴体２０との取り付けが容易になり、生産性が向上する。また、フランジ４１を摺動溝部２９に挿入して上翼板２１の上面部２１ｂをフランジ４１に向けて加締めるので、加締めにより引手保持体４０とスライダー胴体２０との上下方向が固定され、凸部４２と凹部３０との係合により引手保持体４０とスライダー胴体２０との前後方向が固定される。また、フランジ４１全体が加締められるので、取り付け強度を高めることができ、また、引手保持体４０に加締め跡が残らず、外観性が向上する。
【００３９】
また、フランジ４１の上面４１ａは、フランジ４１の後端部分４１ｃから前端部分４１ｄに向かうに従ってフランジ４１の肉厚ｔが漸減する傾斜面であるので、引手保持体４０のフランジ４１をスライダー胴体２０の摺動溝部２９に挿入する際、引手保持体４０を傾けることで、凸部４２を円滑に凹部３０に係合させることが可能となる。また、引手保持体４０に外力が働く際、力が集中しやすいフランジ４１の後端部分４１ｃの肉厚ｔを厚くすることができ、強度が向上する。
【００４０】
また、フランジ４１の側面４１ｂは、フランジ４１の後端部分４１ｃから前端部分４１ｄに向かうに従って次第にフランジ４１の幅Ｗが広くなるように傾斜するので、上翼板２１の上面部２１ｂをフランジ４１に向けて加締める際に、スライダー胴体２０の加締め部分とフランジ４１との接触面積が広くなり、取り付け強度が向上する。また、引手保持体４０のフランジ４１をスライダー胴体２０の摺動溝部２９に挿入しやすくなる。
【００４１】
更に、凸部４２は、引手保持体４０の固定側基端部４３の下面にスライダー胴体２０に向かって突出形成され、凹部３０は、上翼板２１の前端部側に形成されるので、凸部４２を凹部３０に係合させることで引手保持体４０とスライダー胴体２０との前後方向が固定されて取り付け強度を向上することができる。
【００４２】
なお、本発明は上記実施形態に例示したものに限定されるものではなく、本発明の要旨を逸脱しない範囲において適宜変更可能である。
【００４３】
例えば、上記実施形態では、フランジ４１は、その肉厚ｔが後端部分４１ｃから前端部分４１ｄに向かうに従って漸減するように、その上面４１ａを傾斜させていたが、本発明はこれに限定されない。
【００４４】
例えば、図８に示すように、第１変形例のスライドファスナー用スライダーでは、フランジ４１は、後端部分４１ｃから前端部分４１ｄに亘って肉厚ｔが一様に形成されている。一方、スライダー胴体２０の摺動溝部２９は、第１実施形態と同様に、溝高さＬがフランジ４１の肉厚ｔと引手保持体４０の凸部４２の突出高さとの合計寸法より僅かに大きく、前後方向に亘って一様に形成されている。
【００４５】
或は、図９に示すように、第２変形例のスライドファスナー用スライダーでは、フランジ４１は、後端部分４１ｃから前端部分４１ｄに亘って肉厚ｔが一様に形成されている。一方、スライダー胴体２０の摺動溝部２９は、その上面２９ａが、スライダー胴体２０の長手方向中央部から前端部に向かうに従って次第に溝高さＬが大きくなるように傾斜しており、また、前端部における溝高さＬが、フランジ４１の肉厚ｔと引手保持体４０の凸部４２の突出高さとの合計寸法より僅かに大きくなるように形成されている。
【００４６】
したがって、第１及び第２変形例でのスライダー胴体２０と引手保持体４０との組付けは、図８（ａ）及び図９（ａ）に示すように、凸部４２がスライダー胴体２０の壁３７に案内されながら、引手保持体４０のフランジ４１が摺動溝部２９に沿って挿入される。次いで、図８（ｂ）及び図９（ｂ）に示すように、凸部４２をスライダー胴体２０の凹部３０に係合させ、引手保持体４０を下降させて、フランジ４１を摺動溝部２９の下面２９ｂに当接させる。更に、図８（ｃ）及び図９（ｃ）に示すように、摺動溝部２９の上方に位置する上翼板２１の上面部２１ｂを上方からパンチ等で圧潰することにより、フランジ４１を上翼板２１に加締め固定している。
なお、その他の構成については、上記実施形態のスライドファスナー用スライダー１０と同様である。
【００４７】
また、上記実施形態では、凸部４２は、引手保持体４０の一端部の下面に突出形成され、凹部３０は、上翼板２１の前端部の上面に形成されているが、本発明はこれに限定されない。
【００４８】
即ち、図１０に示すように、第３変形例のスライドファスナー用スライダー１０では、凸部４２がスライダー胴体２０の前端部に形成され、凸部４２と係合する凹部３０が引手保持体４０の固定側基端部４３の下面に形成されている。この場合にも、凸部４２を凹部３０に係合させることで引手保持体４０とスライダー胴体２０との前後方向が固定されて取り付け強度を向上することができる。
【００４９】
或は、図１１に示すように、第４変形例のスライドファスナー用スライダー１０では、引手保持体４０の凸部４２が、左右両フランジ４１の下面４１ｅに突出して形成されている。また、凸部４２と係合する凹部３０が、左右両摺動溝部２９に設けられている。引手保持体４０の一対の凸部４２と、スライダー胴体２０の一対の凹部３０とが係合すると共に、引手保持体４０の左右フランジ４１が、両摺動溝部２９に収容されて上翼板２１に加締められて、引手保持体４０がスライダー胴体２０に固定されている。この場合にも、凸部４２を凹部３０に係合させることで引手保持体４０とスライダー胴体２０との前後方向が固定されて取り付け強度を向上することができる。
【００５０】
または、図１２に示すように、第５変形例のスライドファスナー用スライダー１０では、引手保持体４０の膨出部４３ｅの下面から下方に突出する段差部４６は、枢支ピン１３の両端を保持するスライダー胴体２０のＵ字型溝２７ｃに係合する幅方向長さを有しており、凸部４２を構成している。従って、段差部４６は、停止爪体６０を揺動自在に支持する枢支ピン１３を上方から押えると共に、スライダー胴体２０のＵ字形溝２７ｃに係合する。即ち、Ｕ字形溝２７ｃは、第１実施形態で説明した枢支ピン１３を保持する機能と、凹部３０との機能を合わせ持っている。この場合にも、凸部４２としての段差部４６を凹部３０としてのＵ字型溝２７ｃに係合させることで引手保持体４０とスライダー胴体２０との前後方向が固定されて取り付け強度を向上することができる。
【００５１】
また、上記実施形態では、フランジ４１の上面４１ａは、フランジ４１の根元部分４１ｆから側面４１ｂに向かうに従ってフランジ４１の肉厚ｔが漸減するように幅方向全体に亘って傾斜し、また、スライダー胴体２０の摺動溝部２９の上面２９ａも、摺動溝部２９の上方に位置する上翼板２１の上面部２１ｂがその根元部分２１ｃから側面２１ｄに向かうに従って上面部２１ｂの肉厚ｔａが漸減するように幅方向全体に亘って傾斜している。しかしながら、本発明は、これに限らず、図１３（ａ）〜（ｆ）に示す第６変形例のように、フランジ４１の上面４１ａは、フランジ４１の根元部分４１ｆ側から側面４１ｂ側に向かうに従ってフランジ４１の肉厚ｔが漸減するように幅方向において部分的に形成され、スライダー胴体２０の摺動溝部２９の上面２９ａも、摺動溝部２９の上方に位置する上翼板２１の上面部２１ｂがその根元部分２１ｃ側から側面２１ｄ側に向かうに従って肉厚ｔａが漸減するように幅方向において部分的に形成されていればよい。
【００５２】
即ち、図１３（ａ）では、フランジ４１の上面４１ａは、フランジ４１の根元部分４１ｆ寄りに、フランジ４１の根元部分４１ｆ側から側面４１ｂ側に向かうに従ってフランジ４１の肉厚ｔが漸減する傾斜面を有し、スライダー胴体２０の摺動溝部２９の上面２９ａは、上面部２１ｂの側面２１ｄ寄りに、摺動溝部２９の上方に位置する上翼板２１の上面部２１ｂがその根元部分２１ｃ側から側面２１ｄ側に向かうに従って肉厚ｔａが漸減する傾斜面を有する。
【００５３】
また、図１３（ｂ）では、フランジ４１の上面４１ａは、フランジ４１の根元部分４１ｆ寄りに、フランジ４１の根元部分４１ｆ側から側面４１ｂ側に向かうに従ってフランジ４１の肉厚ｔが漸減する曲面を有し、スライダー胴体２０の摺動溝部２９の上面２９ａは、上面部２１ｂの側面２１ｄ寄りに、摺動溝部２９の上方に位置する上翼板２１の上面部２１ｂがその根元部分２１ｃ側から側面２１ｄ側に向かうに従って肉厚ｔａが漸減する曲面を有する。
【００５４】
また、図１３（ｃ）では、フランジ４１の上面４１ａは、フランジ４１の側面４１ｂ寄りに、フランジ４１の根元部分４１ｆ側から側面４１ｂ側に向かうに従ってフランジ４１の肉厚ｔが漸減する傾斜面を有し、スライダー胴体２０の摺動溝部２９の上面２９ａは、上面部２１ｂの根元部分２１ｃ寄りに、摺動溝部２９の上方に位置する上翼板２１の上面部２１ｂがその根元部分２１ｃ側から側面２１ｄ側に向かうに従って肉厚ｔａが漸減する傾斜面を有する。
【００５５】
また、図１３（ｄ）では、フランジ４１の上面４１ａは、フランジ４１の側面４１ｂ寄りに、フランジ４１の根元部分４１ｆ側から側面４１ｂ側に向かうに従ってフランジ４１の肉厚ｔが漸減する曲面を有し、スライダー胴体２０の摺動溝部２９の上面２９ａは、上面部２１ｂの根元部分２１ｃ寄りに、摺動溝部２９の上方に位置する上翼板２１の上面部２１ｂがその根元部分２１ｃ側から側面２１ｄ側に向かうに従って肉厚ｔａが漸減する曲面を有する。
【００５６】
さらに、図１３（ｅ）では、フランジ４１の上面４１ａは、フランジ４１の根元部分４１ｆ寄り及び側面４１ｂ寄りに、フランジ４１の根元部分４１ｆ側から側面４１ｂ側に向かうに従ってフランジ４１の肉厚ｔが漸減する傾斜面を有し、スライダー胴体２０の摺動溝部２９の上面２９ａは、上面部２１ｂの側面２１ｄ寄り及び根元部分２１ｃ寄りに、摺動溝部２９の上方に位置する上翼板２１の上面部２１ｂがその根元部分２１ｃ側から側面２１ｄ側に向かうに従って肉厚ｔａが漸減する傾斜面を有する。
【００５７】
また、図１３（ｄ）では、フランジ４１の上面４１ａは、フランジ４１の根元部分４１ｆ寄り及び側面４１ｂ寄りに、フランジ４１の根元部分４１ｆ側から側面４１ｂ側に向かうに従ってフランジ４１の肉厚ｔが漸減する曲面を有し、スライダー胴体２０の摺動溝部２９の上面２９ａは、上面部２１ｂの側面２１ｄ寄り及び根元部分２１ｃ寄りに、摺動溝部２９の上方に位置する上翼板２１の上面部２１ｂがその根元部分２１ｃ側から側面２１ｄ側に向かうに従って肉厚ｔａが漸減する曲面を有する。
【００５８】
また、本発明は、引手保持体４０がフランジ４１を有し、スライダー胴体２０が摺動溝部２９を有し、引手保持体４０とスライダー胴体２０の一方が凸部を有し、他方が凸部と係合する凹部を有するものであれば、その他の構造及び形状は任意に設計可能である。例えば、図１４に示すように、第７変形例のスライドファスナー用スライダー１０では、上記実施形態のような枢支ピン１３を設ける代わりに、凹部３０に支持される停止爪体６０の一端部６８を支点に揺動自在とし、湾曲した板ばね１２を停止爪体６０の上面と引手保持体４０の膨出部４３ｅの下面との間に配置するような構成としている。
【００５９】
また、上記実施形態では、自動停止機能を備えた、引手後付タイプのスライドファスナー用スライダーについて説明したが、本発明はこれに限定されない。
【００６０】
即ち、図１５に示すように、第８変形例のスライドファスナー用スライダー１０は、引手後付タイプを構成するための開閉部材６０や自動停止機能を与えるための停止爪体６０を有しない構成である。本発明は、このようなスライドファスナー用スライダー１０にも適用でき、引手保持体４０のフランジ４１は、スライダー胴体２０の摺動溝部２９に挿入されると同時に、引手７０の取付軸部７３を引手保持体４０とスライダー胴体２０の上翼板２１との間に組み込み、摺動溝部２９の上方に位置する上翼板２１の上面部２１ｂを加締めることで、引手保持体４０とスライダー胴体２０を固定している。
その他の構成及び効果は、上記実施形態のスライドファスナー用スライダーと同様である。
【符号の説明】
【００６１】
１０    スライドファスナー用スライダー
１３    枢支ピン
２０    スライダー胴体
２１    上翼板
２２    下翼板
２４    エレメント案内路
２７ｃ  Ｕ字形溝（支持溝）
２９    摺動溝部
３０    凹部
３１    爪孔
４０    引手保持体
４１    フランジ
４１ａ  上面
４１ｂ  側面
４１ｃ  後端部分
４１ｄ  前端部分
４１ｅ  下面
４２    凸部
４３    固定側基端部（一端部）
４６    段差部
６０    停止爪体
６４    爪部
７０    引手
７３    取付軸部
ｔ      肉厚
Ｗ      幅
【図１】
0005957091.tif 000002
【図２】
0005957091.tif 000003
【図３】
0005957091.tif 000004
【図４】
0005957091.tif 000005
【図５】
0005957091.tif 000006
【図６】
0005957091.tif 000007
【図７】
0005957091.tif 000008
【図８】
0005957091.tif 000009
【図９】
0005957091.tif 000010
【図１０】
0005957091.tif 000011
【図１１】
0005957091.tif 000012
【図１２】
0005957091.tif 000013
【図１３】
0005957091.tif 000014
【図１４】
0005957091.tif 000015
【図１５】
0005957091.tif 000016